(57)【特許請求の範囲】
【請求項１】
熱交換器で加熱した高温水を、バイパス水路を通った水とミキシングすることにより適温の湯を供給する通常給湯管と、バイパス水路を通った水とミキシングしないで高温の湯を供給する高温給湯管とを有する給湯器であり、かつ、高温給湯管中には電磁弁が設けられ、制御装置からの信号により、この電磁弁が開となり、かつ高温給湯管に接続された給湯栓が開となったときにのみ、高温給湯管からの給湯が行われる給湯器であって、前記通常給湯管からの給湯が行われているときは、前記電磁弁を閉とし、前記高温給湯管からの給湯を止める機能を有することを特徴とする給湯器。
【請求項２】
熱交換器で加熱した高温水を、バイパス水路を通った水とミキシングすることにより適温の湯を供給する通常給湯管と、バイパス水路を通った水とミキシングしないで高温の湯を供給する高温給湯管とを有する給湯器であり、かつ、高温給湯管中には電磁弁が設けられ、制御装置からの信号により、この電磁弁が開となり、かつ高温給湯管に接続された給湯栓が開となったときにのみ、高温給湯管からの給湯が行われる給湯器であって、高温給湯が開始されてから所定時間経過した時点で、前記電磁弁を閉とする機能を有することを特徴とする給湯器。
【発明の詳細な説明】
【０００１】
【発明の属する技術分野】
本発明は、水をガスバーナー等の加熱器により加熱し、台所や風呂に給湯を行う給湯器に関するものである。
【０００２】
【従来の技術】
水をガスの燃焼熱により加熱して湯とし、給湯栓や浴槽、室内暖房装置等に供給するガス式給湯器は、一般家庭において広く使用されている。最も簡単なものは、完全手動式のものであり、人間が点火装置を手動で操作することにより種火に点火し、目視によって点火を確認してから給湯栓を開けるものである。給湯栓が開くと、水量センサー又は水圧センサーにより水の流れが確認され、ガス遮断弁が開となって、バーナーヘのガスの供給が行われ、種火からの火によりガスへの着火が行われて、熱交換器中の水が加熱され、湯として給湯栓から供給される。
【０００３】
しかしながら、近年、給湯器の方式は高級化しており、各種センサーからの入力を受けて、制御装置により給湯温度制御や、燃焼制御、安全確認を行う自動制御方式の給湯器が用いられるようになってきている。その例を図３に示す。
【０００４】
給湯器本体部１１中には、ガスバーナー１２と熱交換器１３が設けられ、ガスバーナー１２の燃焼熱により、熱交換器１３中の水を加熱するようになっている。給湯栓が開となると、給水系から水フィルター１４を介して熱交換器１３に水が供給される。この水量は水量センサー１５で検出されるので、それにより電装基板内の制御装置（図示せず）が、元ガス電磁弁１６を開とすると共に、点火プラグ１７に電圧をかけ、その火花によりガスに着火させる。それにより燃焼管１８からのガスが燃焼し、熱交換器１３中の水を加熱する。
【０００５】
給水流量は、水量調節弁１９で制御され、給湯温度は出湯サーミスター２０で検出されて、バイパス水量調節弁２１の開度を制御したり、ガス比例弁２２の開度を制御したりすることにより目標温度に保たれる。この制御には、入水サーミスター２３により検出された給水の温度、缶水サーミスター２４により検出された熱交換器１３の出口の湯の温度が同時に用いられる。目標とする湯の温度が大きく異なったり、給水量が大きく異なって、バイパス水量調節弁２１の開度やガス比例弁２２で制御できないときは、能力切替ガス電磁弁２５を開閉することによりガスバーナーの燃焼能力を大きく変化させて対応する。
【０００６】
燃焼用空気は燃焼ファン２６からガスバーナー１２に供給される。燃焼空気が供給されているかどうかを検知するために、燃焼ファン２６の回転数センサー２７が設けられている。この回転数センサー２７は、この他に、ガス量に見合った風量を供給するように燃焼ファン２６の回転数を制御するために使用される。
【０００７】
安全装置として、給湯器本体部の過熱を検知する過熱防止センサー２８、熱交換器１３や給湯配管中の過圧を検出して排水することにより防止する過圧防止安全装置２９、熱交換器中１３直近に設けられ、残り火による熱交換器１３の過熱を検知する残火安全装置３０、漏電を検出する漏電安全装置３１、ガスの燃焼炎を検知する炎検知器３２等が設けられている。
【０００８】
図４に、電装基板中の制御装置の主な動作を記載した概略フローチャートを示す。ステップＳ０１で人間が電源を「入」とすると、ステップＳ０２で漏電安全装置が不作動であるかどうかをチェックする。不作動である場合は正常であるので、ステップＳ０３への移行を可能にする。ステップＳ０３で人間が運転スイッチを「入」とすると、運転状態に入る。この状態で、制御装置はステップＳ０５の状態に移行し、水量センサーがＯＮとなるかどうかをチェックしている。ステップＳ０４で人間が給湯栓を「開」とすると、ステップＳ０５で水量センサーがＯＮとなるのでステップＳ０６に進む。人間が給湯栓を「開」とするまでは水量センサーがＯＦＦであるので、ステップＳ０５の状態で待機する。
【０００９】
ステップＳ０６では各種安全装置のセンサーが正常であるかどうかをチェックし、全てのセンサーが正常値を示しているとき、ステップＳ０７で燃焼ファンをＯＮとする。そして、ステップＳ０８で燃焼ファンの回転数センサーの値をチェックし、正常回転数になっているかどうかを判断する。正常回転数になっていれば、ステップＳ０９で点火装置をＯＮとする。これにより、点火プラグから火花が発生する。その上でステップＳ１０に移り、元ガス電磁弁とガス比例弁をＯＮ（開）とする。そして、ステップＳ１１で炎検知器からの信号をチェックし、「炎検知」となったとき、着火が確認されたとしてステップＳ１２に移り点火装置をＯＦＦとする。そして、ステップＳ１３に移行して、目的とする湯温が得られ、かつ完全燃焼が行われるように、ガス量と風量の比例制御を行う。これが定常給湯状態である。
【００１０】
定常給湯状態においては、ステップＳ１４で安全装置の不作動を監視し、不作動の場合はステップＳ１５に移って水量センサーがＯＦＦとなったかどうかをチェックする。水量センサーがＯＦＦとなっていなければステップＳ１３に戻って、定常給湯状態の制御を続行する。
【００１１】
人間が給湯栓を閉めたり、その他の理由により給水が行われなくなったときは、ステップＳ１５において水量センサーがＯＦＦとなったことが検出されるので、ステップＳ１６に移行し、元ガス電磁弁とガス比例弁をＯＦＦ（「閉」）とし、ステップＳ１７で燃焼ファンをＯＦＦとして、初期状態であるステップＳ０４に戻る。
【００１２】
定常給湯状態において安全装置が作動したときは、ステップＳ１４からステップＳ１８にジャンプし、エラー表示を行うと共に、ステップＳ１９で元ガス電磁弁とガス比例弁をＯＦＦ（「閉」）とし、ステップＳ２０で燃焼ファンをＯＦＦとする。この状態で人間がエラー表示を見て、ステップＳ２１で給湯栓を「閉」とし、ステップＳ２２で運転スイッチを「切」とする。すると、ステップＳ２３でエラー表示Ｓ２３を消灯する。この状態で、ステップＳ２４で人間が電源を「切」とし、ステップＳ２５で原因の除去を行う。原因が除去されたと考えたとき、人間がステップＳ０１に戻って電源の再投入を行う。
【００１３】
ステップＳ０６において、各安全装置センサーの異常が発見されたときは、ステップＳ２６に移ってエラー表示を行ってからステップＳ２１に移行する。
ステップＳ０８において、ファンの回転数が異常であったときは、ステップＳ２７に移ってエラー表示をした後、ステップＳ２０に移行する。
【００１４】
ステップＳ１１において、所定時間の間に炎の検知ができなかったときは着火失敗と判断して再点火を行う。すなわち、ステップＳ２８で点火装置をＯＦＦとし、ステップＳ２９で元ガス電磁弁とガス比例弁をＯＦＦ（「閉」）とする。そして、ステップＳ３０で再点火を試みた回数が所定数ｎ回以下であるかを判断する。ｎ回以下であるときは、ステップＳ０８に戻って点火作業をやり直す。ｎ回を超えているときは、点火システムが不良となっているとして、ステップＳ２７でエラー表示を行ってステップＳ２１に移行する。
【００１５】
以上のフローチャートは極概略のフローを示したものであり、実際には、この他に安全を確保するための制御ルーチンが多数含まれていると共に、給湯量の制御や、バイパス水量調整弁を用いた給湯温度の制御、能力切替ガス電磁弁の制御等、多数の制御ルーチンが含まれている。
【００１６】
また、過熱防止装置や残火安全装置、過圧防止安全装置等の出力は、以上の制御装置を使用した安全制御のほかにも、ハードウェアで構成された安全装置につながれており、万一制御装置そのものが不良となっても、火災の発生等の事故につながらないようになっている。
【００１７】
図３に示した給湯器は、１缶１水路式と呼ばれ、１つの給湯器に１つの熱交換器と１つの給湯水路を有する最も簡単なものであるが、この他に１つの給湯器に２つの熱交換器と２つの給湯系統（例えば給湯栓への給湯用と風呂の追い焚き用）を有する２缶２水路式のもの、１つの熱交換器と２つの給水系統を有する１缶２水路式のもの等、種々のものがある。本明細書でいう「給湯器」とは、これら全ての方式の給湯器を含むものである。
【００１８】
しかしながら、図３に示したような自動制御方式の給湯器においては、給湯口が１つしかない関係上、台所や風呂には同じ温度の湯が供給される。この湯の温度はリモートコントロールにより設定可能となっており、適宜目的に合わせて変更が可能であるが、例えば風呂で湯温を４０℃に設定してシャワーを浴びているときには、台所にも４０℃の湯しか供給されないという問題点が発生する。
【００１９】
また、加熱器で加熱される高温水の最高温度は、風呂への高温差し湯を目的として６０〜７５℃とされている。よって、給湯器から供給される湯を、そのまま調理や飲料用に使用したい場合には、湯の温度が低すぎるという問題点がある。
【００２０】
【発明が解決しようとする課題】
このような事情に鑑み、本発明者らは、従来と同じ使用方法を可能にした状態で、調理や飲料用に使用できる高温の湯を供給可能な給湯器を発明し、平成１１年特許願第３６２１３４号として特許出願した（以下「先願発明」という）。この先願発明の実施の形態の１例を図５に示す。図５に示す先願発明の実施の形態の主要部の構成は、図３に示した従来の給湯器とほとんど同じである。
【００２１】
給湯器本体部１１中には、ガスバーナー１２と熱交換器１３が設けられ、ガスバーナー１２の燃焼熱により、熱交換器１３中の水を加熱するようになっている。給湯栓が開となると、給水系から水フィルター１４を介して熱交換器１３に水が供給される。この水量は水量センサー１５で検出されるので、それにより電装基板内の制御装置（図示せず）が、元ガス電磁弁１６を開とすると共に、点火プラグ１７に電圧をかけ、その火花によりガスに着火させる。それにより燃焼管１８からのガスが燃焼し、熱交換器１３中の水を加熱する。
【００２２】
給水流量は、水量調節弁１９で制御され、給湯温度は出湯サーミスター２０で検出されて、バイパス水量調節弁２１の開度を制御したり、ガス比例弁２２の開度を制御したりすることにより目標温度に保たれる。この制御には、入水サーミスター２３により検出された給水の温度、缶水サーミスター２４により検出された熱交換器１３の出口の湯の温度が同時に用いられる。目標とする湯の温度が大きく異なったり、給水量が大きく異なって、バイパス水量調節弁２１の開度やガス比例弁２２で制御できないときは、能力切替ガス電磁弁２５を開閉することによりガスバーナーの燃焼能力を大きく変化させて対応する。
【００２３】
燃焼用空気は燃焼ファン２６からガスバーナー１２に供給される。燃焼空気が供給されているかどうかを検知するために、燃焼ファン２６の回転数センサー２７が設けられている。この回転数センサー２７は、この他に、ガス量に見合った風量を供給するように燃焼ファン２６の回転数を制御するために使用される。
【００２４】
安全装置として、給湯器本体部の過熱を検知する過熱防止センサー２８、熱交換器１３や給湯配管中の過圧を検出して排水することにより防止する過圧防止安全装置２９、熱交換器中１３直近に設けられ、残り火による熱交換器１３の過熱を検知する残火安全装置３０、漏電を検出する漏電安全装置３１、ガスの燃焼炎を検知する炎検知器３２等が設けられている。
【００２５】
先願発明の実施の形態においては、以上の構成に加え、熱交換器１３で加熱された高温の湯を直接機外に供給するための高温給湯管３３が設けられ、水浄化装置３４が取り付けられている。また、熱交換器１３の出側配管中には、高温給湯管３３との分岐点の後に逆止弁３５が設けられている。高温給湯管３３につながっている給湯栓が開となると、熱交換器１３で加熱された高温湯が、水浄化装置３４を通して給湯栓に供給される。その場合の装置の制御は、図４に示したものと同じであるので説明を省略する。
【００２６】
逆止弁３５は、高温給湯を行う際、及び適温給湯と高温給湯を同時に行う際に、バイパスを通った水が高温給湯管３３内に流れ込むのを防ぐものである。もちろん、逆止弁３５の代わりに電磁弁を使用し、高温給湯管３３からの流出をセンサーで検出して、電磁弁を閉とすることでもよいが、逆止弁を使用したほうが、構成が簡単になる。
【００２７】
しかしながら、このような先願発明に係る給湯器には、次のような問題点が残されていた。
▲１▼高温給湯水栓を開けると、常に高温水が供給されるため、適温の湯を給湯する水栓（以下適温給湯水栓といい、それに至る配管を適温給湯配管という）と間違えて高温給湯水栓を開けた場合、高温水が人体に触れて火傷をする恐れがある。
▲２▼高温給湯栓を開けても、すぐには湯温が高温にならない場合があり、その場合、人間が適温になったかどうかを手で触って確かめることになり、火傷を負う危険がある。
▲３▼高温給湯栓を開けてから熱交換器のシーケンスをスタートさせるのでは、適温の湯が得られるまでに時間がかかる場合がある。
▲４▼高温水が長時間に亘ってシンクや配水管に流れると、シンクや配水管が傷む恐れがある。
【００２８】
本発明はこのような事情に鑑みてなされたもので、間違って高温給湯水栓を開けた場合でも安全性が保たれる給湯装置、給湯が適温かどうかを手で触って確かめる必要のない給湯装置、適温になるまでの時間を短縮した給湯装置、高温水が長時間に亘って流れない給湯装置を提供することを課題とする。
【００２９】
【課題を解決するための手段】
前記課題を解決するための第１の手段は、熱交換器で加熱した高温水を、バイパス水路を通った水とミキシングすることにより適温の湯を供給する通常給湯管と、バイパス水路を通った水とミキシングしないで高温の湯を供給する高温給湯管とを有する給湯器であり、かつ、高温給湯管中には電磁弁が設けられ、制御装置からの信号により、この電磁弁が開となり、かつ高温給湯管に接続された給湯栓が開となったときにのみ、高温給湯管からの給湯が行われる給湯器であって、前記通常給湯管からの給湯が行われているときは、前記電磁弁を閉とし、前記高温給湯管からの給湯を止める機能を有することを特徴とする給湯器である。
【００３０】
本装置においては、高温給湯管に電磁弁が設けられ、通常の状態では閉とされている。よって、高温給湯水栓を開けただけでは高温の湯が水栓から給湯されることがないので、間違って開けた場合でも火傷をすることがない。高温給湯を行うには、まず、人間の何らかの操作により、制御装置がこの電磁弁を開にする。その状態で高温給湯栓が開となると、高温給湯が行われる。このように、高温給湯を行うための操作を１段階付け加えることにより安全性が確保できる。
又、給湯器の能力が小さい場合は、高温給湯と通常給湯を同時に行えるような容量を持っていない。よって、通常給湯給湯栓が開かれると、通常給湯が行われる分だけ、高温給湯の温度が下がって適温にならなくなる。よって、本手段においては、適温でない湯が使用されるのを防ぐために、常給湯管からの給湯が行われているときは、前記電磁弁を閉とし、前記高温給湯管からの給湯を止めるようにしている。
【００４１】
前記課題を解決するための第２の手段は、熱交換器で加熱した高温水を、バイパス水路を通った水とミキシングすることにより適温の湯を供給する通常給湯管と、バイパス水路を通った水とミキシングしないで高温の湯を供給する高温給湯管とを有する給湯器であり、かつ、高温給湯管中には電磁弁が設けられ、制御装置からの信号により、この電磁弁が開となり、かつ高温給湯管に接続された給湯栓が開となったときにのみ、高温給湯管からの給湯が行われる給湯器であって、高温給湯が開始されてから所定時間経過した時点で、前記電磁弁を閉とする機能を有することを特徴とする給湯器である。
【００４２】
本装置においては、高温給湯管に電磁弁が設けられ、通常の状態では閉とされている。よって、高温給湯水栓を開けただけでは高温の湯が水栓から給湯されることがないので、間違って開けた場合でも火傷をすることがない。高温給湯を行うには、まず、人間の何らかの操作により、制御装置がこの電磁弁を開にする。その状態で高温給湯栓が開となると、高温給湯が行われる。このように、高温給湯を行うための操作を１段階付け加えることにより安全性が確保できる。
又、本手段においては、高温給湯が開始されてから所定時間経過した時点で、前記電磁弁が閉とされて高温給湯が停止されるので、高温水が長時間に亘ってシンクや配水管に流れ、シンクや配水管が傷むことが防止される。
【００４９】
【発明の実施の形態】
以下、本発明の実施の形態の例を、図を用いて説明する。図１は、本発明の第１の実施の形態である給湯器の概要を示す図である。図１の基本的な構成は、図５に示した先願発明の実施の形態と同じであるので、同じ構成要素には同じ符号を付し、これら共通の構成の部分については作動説明を省略することとし、図５と異なる部分についてのみ説明を行う。
【００５０】
図１に示す実施の形態においては、高温給湯管３３に定流量弁３６、電磁弁３７、通常給湯センサー３８が設けられている点が図５に示した給湯器と異なっている。このうち、定流量弁３６は、高温給湯栓より供給される湯の量を一定に保ち、十分な高温を確保するためのものであり、場合によっては省略することもできる。電磁弁３７は、本件発明の最大の特徴である性能を決定するものである。
【００５１】
人間が図示しない操作盤にある押しボタンスイッチを所定時間押しつづけると、電装基板がこれを検知し電磁弁３７を開とすると共に、給湯器本体部１１内のプリパージとスタンバイを行う。すなわち、図４に示されたＳ０６〜Ｓ０８のシーケンスを進め、給湯器本体部１１の中をプリパージすると共に、いつでも着火がＯＫである状態を作り出す。このプリパージとスタンバイ機能は、高温給湯栓が開けられてから適温の湯が供給されるまでの時間を短縮するためのものである。また、押しボタンスイッチを所定時間押しつづけないと電磁弁３７を開としないのは、押しボタンスイッチに間違って触れた場合に、電磁弁３７を開としないようにするためのものである。
【００５２】
この状態で、高温給湯栓が開とされると、先願発明と同じようなシーケンス制御が行われ、高温の湯が高温給湯栓から給湯される。操作盤にある押しボタンスイッチを所定時間押しつづけられず、電磁弁３７が開となっていない状態で高温給湯栓が開とされても、高温の湯が供給されることがないので、高温給湯栓と通常給湯栓を間違って開けた場合でも、高温の湯が供給されて人間が火傷をすることはない。
【００５３】
高温給湯の温度は、缶水サーミスター２４で検出され、湯の温度が適温（例えば８５℃となったときに、図示しない表示器や音声装置により人間に知らせる。よって、人間は、いちいち湯に手で触って温度を確かめることなく、高温の湯のみを使用することができ、火傷をする可能性を防止できる。また、このような方法の代わりに、簡易的に高温給湯栓にサーモラベルを貼り付けて、それにより温度を表示してもよい。
【００５４】
この実施の形態においては、通常給湯センサー３８が設けられ、通常給湯が行われているときＯＮとなるようになっている。そして、電装基板は、この状態においては電磁弁３７を閉とし、高温給湯を止める。これは、通常給湯と高温給湯を同時に行うと、高温給湯を行うだけの缶水温度が確保できなかったり、高温給湯水量が確保できなかったりすることが発生するので、このような状態で高温給湯が行われるのを防止するためである。
【００５５】
また、電装基板は、電磁弁３７が開となっている状態で水量センサー１５が流水を検出していることにより、高温給湯が行われていることを検知する。そして、この状態が所定時間継続した場合に、電磁弁３７をオフとして、高温給湯を停止する。通常、高温給湯は、風呂への給湯等と違い、飲料や調理用に使用されるものであるから、長時間連続して使用されることはないので、このようにしても不都合はない。そして、このようなシーケンスとすることにより、高温水が長時間に亘ってシンクや配水管に流れ、シンクや配水管が傷むことを防止することができる。
【００５６】
また、図示しない押しボタンスイッチが押されたとき、電装基板がこれを検知し、電磁弁３７を閉とするようになっている。これにより、高温給湯は、再び押しボタンを所定時間押さない限り使用できなくなる。しかし、電磁弁３７を閉とする押しボタンを人間が押し忘れたとき、この機能が発揮できなくなる。よって、電装基板は、電磁弁３７を開としたときから所定時間が経過したとき、電磁弁３７をオフとするようになっている。
【００５７】
図２は、本発明の第２の実施の形態である給湯器の概要を示す図であり、高温給湯管３３から分岐して排水管３９が設けられ、それに電磁弁４０が取り付けられ、高温給湯管３３にも分岐の後に電磁弁４１が取り付けられている点のみが、図１に示した実施の形態と異なっている。以下、この異なる点の作用のみを説明する。
【００５８】
高温給湯栓が開けられ、ガスバーナー１２が燃焼を開始しても、高温給湯栓から供給される湯の温度は、すぐには飲料用や調理用に適当な温度とならない。この実施の形態においては、電磁弁３７が開とされた時点で電磁弁４０も同時に開とする。すると、配水管３９に水が流れ、水量センサー１５が流水を検出してガスバーナー１２が燃焼を開始する。
【００５９】
流れる湯の温度は缶水サーミスター２４で検出される。電装基板は、この温度が適温（例えば８５℃）となるまで、電磁弁４０を開とし、電磁弁４１を閉とする。よって、給湯温度が適温となるまでの間は、湯は排水管３９を通って排水され、高温給湯栓には供給されない。電装基板は、缶水サーミスター２４で検出された湯温が適温になった状態で、電磁弁４１を開とし、電磁弁４０を閉とする。これにより、適温の湯が高温給湯栓に供給されるようになる。電磁弁４０と電磁弁４１を一つの分配型３方電磁弁に変えてもよいことはいうまでもない。
【００６０】
【発明の効果】
以上説明したように、本発明のうち請求項１に係る発明においては、高温給湯を行うための操作を１段階付け加えることにより安全性が確保できる。
請求項２に係る発明においては、誤操作の場合に電磁弁が開となることを防止できる。
【００６１】
請求項３に係る発明においては、高温給湯栓から給湯される湯の温度を適温にするのに要する時間を、プリパージに必要な時間だけ短縮することができる。
請求項４に係る発明においては、人間が湯に触って温度を確かめる必要がなくなり、火傷などの発生を防止することができる。
【００６２】
請求項５に係る発明においては、高温給湯栓から適温に達しない湯が給湯されるのを防止することができる。
請求項６に係る発明においては、高温給湯の温度が下がって適温にならなくなり、適温でない湯が使用されるのを防止することができる。
【００６３】
請求項７に係る発明においては、高温水が長時間に亘ってシンクや配水管に流れ、シンクや配水管が傷むことを防止できる。
請求項８に係る発明においては、人間が電磁弁をオフにすることを忘れた場合でも、電磁弁がＯＮとなったままになり、トラブルの発生につながることを防止できる。
【００６４】
請求項９に係る発明においては、清浄な高温の湯を飲料用や調理用として供給することができる。
請求項１０に係る発明においては、給湯される湯を直接飲料水や調理用として使用することができる。
【図面の簡単な説明】
【図１】本発明の第１の実施の形態である給湯器の概要を示す図である。
【図２】本発明の第２の実施の形態である給湯器の概要を示す図である。
【図３】従来の給湯器の例の概要を示す図である。
【図４】図３に示す給湯器の動作の概要を示すフローチャートである。
【図５】先願発明の実施の形態の例である給湯器の概要を示す図である。
【符号の説明】
１１…給湯器本体部、１２…ガスバーナー、１３…熱交換器、１４…水フィルター、１５…水量センサー、１６…元ガス電磁弁、１７…点火プラグ、１８…燃焼管、１９…水量調節弁、２０…出湯サーミスター、２１…バイパス水量調節弁、２２…ガス比例弁、２３…入水サーミスター、２４…缶水サーミスター、２５…能力切替ガス電磁弁、２６…燃焼ファン、２７…回転数センサー、２８…過熱防止センサー、２９…過圧防止安全装置、３０…残火安全装置、３１…漏電安全装置、３２…炎検知器、３３…高温給湯管、３４…水浄化装置、３５…逆止弁、３６…定流量弁、３７…電磁弁、３８…通常給湯センサー、３９…排水管、４０…電磁弁、４１…電磁弁
【図１】
0003989164.tif 000002
【図２】
0003989164.tif 000003
【図３】
0003989164.tif 000004
【図４】
0003989164.tif 000005
【図５】
0003989164.tif 000006